(57)【要約】【課題】通信部の操作部分の操作を容易にすることのできる誘導灯を提供すること。【解決手段】器具１内部に、表示パネルを発光させる光源と、非常用電源４と、通常時は電源用端子５を介して接続される商用電源からの電力供給にて光源を点灯させ、非常時には非常用電源４からの電力供給にて光源を点灯させる交流直流兼用点灯装置６と、設定を行う操作部分７を有して外部通信端末から点検を行う信号を受信して、点検の結果を外部通信端末に送信する通信部８と、通信部８と外部通信端末とを接続する信号用端子９と、を備えている。通信部８の下部には、回転式スイッチ１６及びプッシュ式ボタン１７で構成される操作部分７が設けられている。【選択図】        図１
2004206968.tif 000002
【特許請求の範囲】
【請求項１】
器具内部に、表示パネルを発光させる光源と、非常用電源と、通常時は電源用端子を介して接続される商用電源からの電力供給にて光源を点灯させ、非常時には非常用電源からの電力供給にて光源を点灯させる交流直流兼用点灯装置と、通信の設定を行う操作部分を有して外部通信端末から点検を行う信号を受信して、点検の結果を外部通信端末に送信する通信部と、通信部と外部通信端末とを接続する信号用端子と、を備える誘導灯において、通信部を、器具内部の下部に設けたことを特徴とする誘導灯。
【請求項２】
前記器具は、通信部の操作部分に対応する器具の外殻部に、器具外部から操作部分の操作を行う開口部を有するものであることを特徴とする請求項１記載の誘導灯。
【請求項３】
前記電源用端子と信号用端子を、それぞれ器具内部の対向する外殻部近傍に配設したことを特徴とする請求項１又は請求項２記載の誘導灯。
【請求項４】
前記交流直流兼用点灯装置、非常用電源、通信部を、それぞれ近接した位置に配設したことを特徴とする請求項１乃至請求項３のいずれかに記載の誘導灯。
【発明の詳細な説明】
【０００１】
【発明の属する技術分野】
本発明は、避難方向を示す誘導灯に関するものである。
【０００２】
【従来の技術】
誘導灯の従来例としては、たとえば特開２００２−２５３１３号公報に示す構造のものが知られている。このものは、前面開口した直方体状の器具本体と、器具本体内に配設された光源を点灯させる点灯装置と、矩形状の表示パネル及び表示パネルの後面側に配設され端面に対向配置前記光源の光を前記表示パネルへ導光する導光板を有し器具本体の前面に沿って設けられる表示ユニットと、器具本体内において前記点灯装置に接続され電源電線を挿入接続する端子台とを備え、前記端子台は、電源電線の挿入方向が器具本体の後壁に沿うように配設されてなるものである。
【０００３】
また、たとえば特開平９−８１８７１号公報に示されるような各誘導灯をネットワークで接続するものも知られている。このものは、建物内に避難が必要な事態が発生したとき、避難者を誘導するための誘導灯において、各誘導灯が制御信号受信部と安全確認表示部とを備え、防災設備が作動したことを示す信号を、防災監視盤が受信して危険区域以外の誘導灯へ制御信号として誘導灯のアドレスを送信し、当該誘導灯は前記アドレスを制御信号受信部で受信して安全確認表示部を表示させることを特徴としたものである。そして、制御信号受信部は、誘導灯が取り付けられる天井又は壁近傍に設けられている。
【０００４】
【特許文献１】
特開２００２−２５３１３号公報
【０００５】
【特許文献２】
特開平９−８１８７１号公報
【０００６】
【発明が解決しようとする課題】
しかしながら、従来例の前者においては、通信部を有していないため、誘導灯の遠隔操作を行うことができない。一方、従来例の後者においては、制御信号受信部（通信部）を有しており誘導灯の遠隔操作をすることが可能である。しかし、通信部がアドレス設定等に用いる操作部分を有し、その操作は手作業で行うものである場合、従来例の後者においては、通信部が天井又は天井に近い壁近傍といった高所に位置し、操作部分の操作が困難となることが懸念される。
【０００７】
本発明は、かかる事由に鑑みてなしたものであり、その目的とするところは
誘導灯に通信部を設けた場合に、通信部の操作部分の操作を容易にすることのできる誘導灯を提供することである。
【０００８】
【課題を解決するための手段】
請求項１に係る発明は、器具内部に、表示パネルを発光させる光源と、非常用電源と、通常時は電源用端子を介して接続される商用電源からの電力供給にて光源を点灯させ、非常時には非常用電源からの電力供給にて光源を点灯させる交流直流兼用点灯装置と、通信の設定を行う操作部分を有して外部通信端末から点検を行う信号を受信して、点検の結果を外部通信端末に送信する通信部と、通信部と外部通信端末とを接続する信号用端子と、を備える誘導灯において、通信部を、器具内部の下部に設けたことを特徴とする。
【０００９】
請求項２に係る発明は、請求項１記載の発明において、前記器具は、通信部の操作部分に対応する器具の外殻部に、器具外部から操作部分の操作を行う開口部を有するものであることを特徴とする。
【００１０】
請求項３に係る発明は、請求項１又は請求項２記載の発明において、前記電源用端子と信号用端子を、それぞれ器具内部の対向する外殻部近傍に配設したことを特徴とする。
【００１１】
請求項４に係る発明は、請求項１乃至請求項３のいずれかに記載の発明において、前記交流直流兼用点灯装置、
非常用電源、通信部を、それぞれ近接した位置に配設したことを特徴とする。
【００１２】
【発明の実施の形態】
本発明の一実施形態について説明する。図１は本実施形態において表示ユニット１２及びランプユニット１３を外した状態での正面図、図２は本実施形態の全体斜視図、図３は器具内部の下部１ａの様子を示す図である。
【００１３】
本実施形態の誘導灯は、器具１内部に、図２に示す表示パネル２を発光させる光源３と、図１に示す非常用電源４と、通常時は電源用端子５を介して接続される商用電源からの電力供給にて光源３（光源３は、後述するランプユニット１３内に取付けられるため図２のみに図示）を点灯させ、非常時には非常用電源４からの電力供給にて光源３を点灯させる交流直流兼用点灯装置６と、本実施形態の誘導灯のアドレス等の設定を行う操作部分７を有して外部通信端末（図示はしない）から点検を行う信号を受信して、点検の結果を外部通信端末に送信する通信部８と、通信部８と外部通信端末とを接続する信号用端子９と、を縦方向に備えている。
【００１４】
器具１は、図２に示すように箱体１０、表示ユニット１２及びランプユニット１３を備えている。箱体１０は、たとえば合成樹脂成からなり、図１を表す紙面上で正面方向に開口部１９を有した直方体形状を成している。そして箱体１０の開口部１９を覆うように、図２に示す略正方形状の表示パネル２及び表示パネル２を保持する枠体１１からなる表示ユニット１２を設けている。そして、表示ユニット１２で覆われていない箱体１０の上部の部分を覆うように横向きにランプユニット１３が設けられている。ランプユニット１３の内部には、細管の光源３が保持されており、光源３の長手方向に沿って存在する発光面は、表示パネル２の背面に取付けた透明アクリル性の導光板（図示はしない）の端部に臨むように配設されている。光源３は、たとえば細管の冷陰極蛍光灯であり、図１に示すランプコネクタ１４を介して交流直流兼用点灯装置６に接続される。非常用電源４は、たとえばＮｉ−ｃｄ蓄電池又はＮｉ−ＭＨ蓄電池であって、交流直流兼用点灯装置６に接続されて、非常時に商用電源（図示はしない）が遮断した場合に光源３が少なくとも約２０分点灯できるだけの電力を供給するものである。交流直流兼用点灯装置６は、通常時は商用電源からの電力供給にて光源３を点灯させ、非常時には非常用電源４からの電力供給にて光源３を点灯させるものであり、交流直流兼用点灯装置６の入力端子は、商用電源及び非常用電源４に接続され、その出力端子はランプコネクタ１４に接続されている。さらに、交流直流兼用点灯装置６は、後述する通信部８及び予備点検スイッチ１５にも接続されている。
【００１５】
通信部８は、通信の設定を行う操作部分７を有して外部通信端末から点検を行う信号を受信して、点検の結果を外部通信端末に送信するものであって、器具１内部の下部１ａに設けられ、交流直流兼用点灯装置６及び信号用端子９に接続されている。そして、図３に示すように通信部８の下部には、回転式スイッチ１６及びプッシュ式ボタン１７で構成される操作部分７が設けられている。回転式スイッチ１６は、円周方向に回転させて当該誘導灯のアドレスを設定するものである。また、プッシュ式ボタン１７は、回転式スイッチ１６で設定した誘導灯のアドレスをリセットするものである。そして、図３に示すように外殻部１８の下部にはそれぞれ円形の開口部１０ａが設けられ、回転式スイッチ１６は、開口部１０ａを貫通して、箱体１０の外部に突出している。
【００１６】
また、図１に示すように、前記電源用端子５と信号用端子９は、それぞれ器具１内部の対向する外殻部１８近傍に配設している。すなわち、電源用端子５は図１を示す紙面上で、箱体１０の左側の外殻部１８の近傍に設置され、信号用端子９は、箱体１０の右側の外殻部１８の近傍に設置されている。これにより、電源用端子５に接続された電源線２０と、信号用端子９に接続された信号線２１は、一定の間隔（１００ｍｍ以上）を有して配線される。また、前記交流直流兼用点灯装置６、非常用電源４、通信部８をそれぞれ近接した位置に配設している。すなわち、通信部８の左側には、３０ｍｍ以下の間隔を開けて、非常用電源４が取付けられている。そして通信部８の上側には、３０ｍｍ以下の間隔を開けて、交流直流兼用点灯装置６が取付けられている。
【００１７】
以上の構成において、本実施形態の誘導灯の使用前には、外部通信端末が当該誘導灯を認識することができるように、作業者が予め回転式スイッチ１６を操作し、当該誘導灯のアドレスを設定する。そして、通常時においては、商用電源から交流直流兼用点灯装置６を介して光源３に電力が供給され、光源３が点灯し、発光する。そして、光源３が放射した光は、導光板（図示はしない）内を導光して表示パネル２を発光させる。ここで、光源３は、非常時に商用電源が遮断された場合においても、一定時間、点灯を維持する必要があるため、非常用電源４によって光源３が点灯するかどうかを点検する必要がある。そこで、通信部８は、外部通信端末から定期的に点検を行う信号を受信し、光源３が非常用電源４にて一定時間、点灯できるか否かを確認するために、交流直流兼用点灯装置６に点検の信号を出力する。そして、交流直流兼用点灯装置６は電力の供給源を、商用電源から非常用電源４に切り替え、非常用電源４から光源３に電力を供給する。そして、交流直流兼用点灯装置６は、光源３のランプ電流の有無を確認することにより光源３の点検を行い、そして充電電流及び充電電圧の有無を確認することにより非常用電源４及び器具１の点検を行う。以上の点検を行った後、交流直流兼用点灯装置６は、通信部８に点検の結果を出力し、通信部８は、外部通信端末に点検の結果を送信する。そして通信部８は、このような点検を定期的に行う。以後、外部通信端末との関係において、当該誘導灯のアドレスを変更する場合には、プッシュ式ボタン１７を押してアドレスをリセットした後、再び回転式スイッチ１６を操作することにより新しいアドレスを設定する。また、通信部８が故障した場合には、予備点検スイッチ１５により手動で点検を行う。
【００１８】
以上のように、通信部８の操作部分７の一部である回転式スイッチ１６を、器具１内部の下部１ａに設けているので、当該誘導灯が天井等の高所に取り付けられた場合であっても、作業者による手作業での操作が容易となり、さらに安全性も向上する。また、器具１の外殻部１８に、器具１外部から操作部分の操作を行う開口部１０ａを有するものであるようにしたので、表示パネル２を外すことなく通信部８の操作が可能となる。さらにまた、電源用端子５と信号用端子９は、それぞれ器具１内部の対向する外殻部１８近傍に配設しているので、電源用端子５に接続された電源線２０と信号用端子９に接続された信号線２１は一定の間隔（１００ｍｍ以上）を有することになり、電源線２０と信号線２１が近接している場合に比べ、電源線２０にノイズが発生しても、信号線２１には伝搬しにくくなり、信号線２１にはノイズが発生しにくくなる。さらにまた、前記交流直流兼用点灯装置６、非常用電源４、通信部８を、それぞれの間隔が３０ｍｍ以内の近接した位置に配設しているので、これらを接続する電源線２０又は信号線２１の長さが短くなり、信号線２１にはノイズが発生しにくくなる。
【００１９】
なお、本実施形態においては、操作部分７に回転式スイッチ１６を用いたが、図４に示すようにディップスライド式スイッチ２３を用いてもよい。また、通信部８に設けた回転式スイッチ１６又はディップスライド式スイッチ２３を、図５、６に示すように通信部８の側面に配設してもよい。さらにまた、非常時において長時間点灯を維持する必要がある場合、たとえば６０分を超える点灯時間を有するものについては、図７に示すように非常用電源４の容積が大きくなる。また、さらに非常用電源４の容量が大きくなる場合には、図８のように器具１の外部に非常用電源４（図示はしない）を別置してもよい。また、図９、図１０及び図１１に示すように、箱体１０の内部にさらに内部箱体２４を備えるタイプのものにおいて、通信部８を、器具１内部の下部１ａの側方に設けてもよい。ここで、図９は、非常用電源４が２０分間、光源３を点灯できるタイプのものを、図１０は、非常用電源４が６０分間、光源３を点灯できるタイプのものを、そして、図１１は、非常用電源４（図示しない）を器具１の外部に別置するタイプのものそれぞれ示す。さらにまた、操作部分７にリモコンの受信部（図示はしない）を設けて、リモコンで設定を行うようにしてもよい。
【００２０】
【発明の効果】
請求項１に係る発明は、器具内部に、表示パネルを発光させる光源と、非常用電源と、通常時は電源用端子を介して接続される商用電源からの電力供給にて光源を点灯させ、非常時には非常用電源からの電力供給にて光源を点灯させる交流直流兼用点灯装置と、通信の設定を行う操作部分を有して外部通信端末から点検を行う信号を受信して、点検の結果を外部通信端末に送信する通信部と、通信部と外部通信端末とを接続する信号用端子と、を備える誘導灯において、通信部を、器具内部の下部に設けるようにしたので、作業者は、通信部に設けられた操作部の操作が容易となり、また安全性も向上する。
【００２１】
請求項２に係る発明は、請求項１記載の発明において、前記器具は、通信部の操作部分に対応する器具の外殻部に、器具外部から操作部分の操作を行う開口部を有するものであるようにしたので、表示パネルを外すことなく通信部の操作が可能となる。
【００２２】
請求項３に係る発明は、請求項１又は請求項２記載の発明において、前記電源用端子と信号用端子を、それぞれ器具内部の対向する外殻部近傍に配設したので、商用電源に接続された電源線からのノイズの影響を信号線が受けにくくなり、信頼性の向上を図ることができる。
【００２３】
請求項４に係る発明は、請求項１乃至請求項３のいずれかに記載の発明において、前記交流直流兼用点灯装置、非常用電源、通信部を、それぞれ近接した位置に配設したので、ノイズの影響を信号線が受けにくくなり、信頼性の向上を図ることができる。
【図面の簡単な説明】
【図１】本実施形態において表示ユニット１２及びランプユニット１３を外した状態での正面図である。
【図２】本実施形態の全体斜視図である。
【図３】器具１内部の下部１ａの様子を示す図である。
【図４】器具１内部の下部１ａの様子の第１の別例を示す図である。
【図５】器具１内部の下部１ａの様子の第２の別例を示す図である。
【図６】器具１内部の下部１ａの様子の第３の別例を示す図である。
【図７】第４の別例における表示ユニット１２及びランプユニット１３を外した状態での正面図である。
【図８】第５の別例における表示ユニット１２及びランプユニット１３を外した状態での正面図である。
【図９】第６の別例における表示ユニット１２及びランプユニット１３を外した状態での正面図である。
【図１０】第７の別例における表示ユニット１２及びランプユニット１３を外した状態での正面図である。
【図１１】第８の別例における表示ユニット１２及びランプユニット１３を外した状態での正面図である。
【符号の説明】
１    器具
１ａ  下部
２    表示パネル
３    光源
４    非常用電源
５    電源用端子
６    交流直流兼用点灯装置
７    操作部分
８    通信部
９    信号用端子
１０  箱体
１１  枠体
【図１】
2004206968.tif 000003
【図２】
2004206968.tif 000004
【図３】
2004206968.tif 000005
【図４】
2004206968.tif 000006
【図５】
2004206968.tif 000007
【図６】
2004206968.tif 000008
【図７】
2004206968.tif 000009
【図８】
2004206968.tif 000010
【図９】
2004206968.tif 000011
【図１０】
2004206968.tif 000012
【図１１】
2004206968.tif 000013